(57)【要約】【課題】配合物を十分に装填できる一方で、睫毛又は眉毛に配合物を楽に塗布できると共に睫毛又は眉毛を満足のいく仕方で梳くと共に分けることができるアプリケータアプリケータを提供する。【解決手段】アプリケータ（３）は、長手方向軸線（Ｘ）に沿って細長い支持構造部材（１１）を有し、支持構造部材は、この支持構造体の少なくとも一部の中に位置する少なくとも１つの枝状部（２０）を含み、透かし形状（open-work ）構造体である支持構造体は透かし形状構造体であり、及び/又は、自由端部を備えた少なくとも１つの枝状部（２０）を含み、この枝状部は、少なくとも一部が、支持構造体の長手方向軸線に対して斜めに延びると共に歯を支持している。【選択図】図３
2008142558.tif 000002
【特許請求の範囲】
【請求項１】
睫毛又は眉毛に配合物を塗布するアプリケータであって、前記アプリケータは、長手方向軸線に沿って細長い形状の支持構造体を有し、
透かし形状構造体である前記支持構造体は、前記支持構造体の少なくとも一部内に位置する少なくとも１つの枝状部を有し、及び/又は、自由端部を備えた少なくとも１つの枝状部を有し、
前記枝状部は、少なくとも一部が、前記支持構造体の前記長手方向軸線に対して斜めに延びると共に歯を支持している、アプリケータ。
【請求項２】
各々が少なくとも３つの歯を有する少なくとも２つの列を有し、各歯は、前記支持構造体の１つの面上で前記支持構造体の枝状部から延びている、請求項１記載のアプリケータ。
【請求項３】
前記長手方向軸線に平行な方向に沿って交互に配置された透かし形キャビティと歯を有する、請求項１記載のアプリケータ。
【請求項４】
前記支持構造体は、中央コアを有する、請求項１記載のアプリケータ。
【請求項５】
前記支持構造体は、２つの互いに反対側の主要面を有し、前記歯は、前記２つの主要面の各々から外方に延びている、請求項１記載のアプリケータ。
【請求項６】
前記支持構造体の第１の面から外方に延びる前記歯は、第１の組をなす枝状部から延び、前記第１の面から見て反対側に位置する前記支持構造体の第２の面から外方に延びる歯は、第２の組をなす枝状部から延びている、請求項５記載のアプリケータ。
【請求項７】
睫毛又は眉毛に配合物を塗布するアプリケータであって、
・全体として平らであり且つ長手方向軸線に沿って細長く、第１及び第２の互いに反対側に位置する主要面を備えた形状の透かし形状支持構造体を有し、
・前記第１の主要面から延びる歯の少なくとも３つの列を有し、各前記列は、少なくとも３つの前記歯を有し、前記列は、前記長手方向軸線に対して斜めに延びると共に前記長手方向軸線に沿って互いに間隔を置いて位置し、
・前記第２の主要面から延びる歯の少なくとも３つの列を有し、各列は、少なくとも３つの歯を有し、前記列は、前記長手方向軸線に沿って互いに間隔を置いて位置している、アプリケータ。
【請求項８】
睫毛又は眉毛への塗布のためのメーキャップ又はケア製品を含む配合物の包装型アプリケータ器具であって、
・請求項１記載のアプリケータと、
・前記睫毛又は前記眉毛に塗布される前記配合物とを有する、包装型アプリケータ器具。
【請求項９】
睫毛又は眉毛に配合物を塗布する方法であって、
・請求項１記載のアプリケータに配合物を装填するステップと、
・前記配合物を前記睫毛又は前記眉毛に塗布するステップとを有する、方法。
【請求項１０】
前記アプリケータに前記配合物を装填しながら、前記配合物が透かし形キャビティ中を流れるようにする、請求項９記載の方法。
【発明の詳細な説明】
【技術分野】
【０００１】
本発明は、睫毛又は眉毛に配合物、具体的に言えば、化粧品、メーキャップ又はケア製品、例えばマスカラを塗布するアプリケータに関する。
【背景技術】
【０００２】
国際公開第０１／０５２７３号パンフレットは、マスカラを塗布する櫛を開示しており、この櫛は、長手方向軸線を有すると共に少なくとも２つの列の状態に配置された歯を支持し、各列は、２つの列相互間の距離よりも短い距離だけ互いに間隔を置いた少なくとも２つの歯から成る。
【０００３】
欧州特許出願公開第１，１６９，９４１号明細書は、支持体を有するアプリケータを教示しており、この支持体は、支持体の２つの互いに反対側の領域相互間に位置する開口部を備え、このアプリケータは、これら領域のうちの一方に連結されると共に他方の領域の方へ差し向けられた突出要素を更に有する。この欧州特許出願公開明細書に記載された実施形態では、アプリケータは、支持体の枝状部上に位置すると共に支持体の長手方向軸線に垂直に延びる歯を有する。
【０００４】
【特許文献１】国際公開第０１／０５２７３号パンフレット
【特許文献２】欧州特許出願公開第１，１６９，９４１号明細書
【発明の開示】
【発明が解決しようとする課題】
【０００５】
配合物を十分に装填できる一方で、睫毛又は眉毛に配合物を楽に塗布できると共に睫毛又は眉毛を満足のいく仕方で梳くと共に分けることができるアプリケータを提供してその恩恵を受ける必要がある。
左右の睫毛又は眉毛の比較的大部分に接触できるアプリケータを提供することによりその恩恵を受ける必要がある。
本発明は、特に、これら要望のうちの全て又は幾つかを満足させようとするものであり、非限定的な実施形態において、睫毛及び眉毛を梳くと共にこれらに配合物を含浸させる比較的広い表面領域を有するアプリケータに関する。
【課題を解決するための手段】
【０００６】
本発明は、その特徴のうちの１つにおいて、睫毛又は眉毛に配合物を塗布するアプリケータであって、アプリケータは、長手方向軸線に沿って細長い形状の支持構造体を有し、
透かし形状（open-work）構造体である支持構造体は、支持構造体の少なくとも一部内に位置する少なくとも１つの枝状部を有し、支持構造体は、及び/又は、自由端部を備えた少なくとも１つの枝状部を有し、
枝状部は、少なくとも一部が、支持構造体の長手方向軸線に対して斜めに延びると共に歯を支持していることを特徴とするアプリケータを提供する。
【０００７】
本発明のこの特徴により、ユーザは、梳いたり配合物を装填したりするための比較的広いゾーンを有することができ、睫毛又は眉毛は、歯に接触すると共に例えば透かし形キャビティ内に保持された配合物に接触することができる。
加うるに、配合物は、支持構造体が透かし形状構造体である場合、支持構造体の１つ又は２つ以上の透かし形キャビティを通過することができる。これにより、アプリケータに配合物を装填するのが容易になると共に（或いは）塗布具合を向上させることができる。
１つ又は２つ以上の枝状部を有する支持構造体により、配合物の均質化及び配合物が入っている容器内での配合物の混合具合を向上させることができる。
【０００８】
支持構造体は、
・長手方向軸線に沿って設けられた細長い主要支持体と、
・主要支持体に連結されていて、少なくとも一部が支持構造体の透かし形キャビティを構成する複数の枝状部とを有するのが良い。
一例を挙げると、主要支持体は、支持構造体を上から観察した場合、支持構造体の輪郭を定めることができ、主要支持体は、例えばフレームの形態をしている。
【０００９】
アプリケータは、支持構造体の１つの面上で支持構造体の対応関係にある枝状部から延びる少なくとも３つの歯から成る１つの列又は同一ではあるが反対側の面上で枝状部から延び若しくは別の枝状部から延びる歯の少なくとも２つの列、又は各々が少なくとも３つの歯から成る少なくとも３つの列を有するのが良く、各歯は、支持構造体の１つの面上で支持構造体の枝状部から延びる。
【００１０】
歯の列は、少なくとも一部が、支持構造体の長手方向軸線に対して斜めに延びるのが良い。
支持構造体の少なくとも１つの透かし形キャビティは、少なくとも一部が、各々一列の歯を支持した２つの枝状部相互間に延びるのが良い。
少なくとも１つの列に属する歯は、少なくとも一部が主要支持体の長手方向軸線に対して斜めに延びる列の軸線に沿って対応関係にある枝状部に設けられるのが良い。
「列」という用語は、互いに比較的近接して位置し、単一の支持要素、特に支持構造体の単一の枝状部によって支持されるのに適した一連の歯として理解されるべきである。
各枝状部は、歯の少なくとも１つの列を支持するのが良く、使用にあたり、２つの列に属する歯を睫毛に同時に接触させることができる。
【００１１】
「斜めに」という用語は、枝状部の軸線又は列の軸線が、主要支持体の長手方向軸線に完全に平行でもなく完全に垂直でもない仕方で延びることを意味しているものと理解されるべきである。かかる定義は、列の軸線又は枝状部の軸線がその長さの一部にわたり、支持構造体の長手方向軸線に平行に又は垂直に延びることを排除するものではなく、支持構造体の長手方向軸線は、列の軸線と同様、直線状であっても良く湾曲していても良い。
【００１２】
歯の列の向きは、アプリケータが睫毛又は眉毛の侵入を向上させ、かくして、睫毛又は眉毛の梳き具合を向上させることができるような仕方で選択されるのが良い。
支持構造体は、全体として平らな形状を有するのが良い。これにより、多数の歯が、睫毛又は眉毛に接触することができる。
支持構造体は、少なくとも２つの透かし形キャビティ又は少なくとも３つの透かし形キャビティを有するのが良い。
少なくとも３つの透かし形キャビティは、長手方向軸線に対して連続した軸方向位置を占めることができ、即ち、少なくとも３つの透かし形キャビティは、長手方向軸線に平行に連続して位置する。
【００１３】
アプリケータは、支持構造体の長手方向軸線に平行な方向に沿って交互に配置された透かし形キャビティと歯を有するのが良い。透かし形キャビティと歯は、支持構造体の長さの半分以上にわたって交互に位置するのが良い。
アプリケータは、主要支持構造体の長手方向軸線に垂直な横方向に沿って交互に配置された透かし形キャビティと歯を有するのが良い。透かし形キャビティと歯は、支持構造体の幅の半分以上にわたり交互に位置するのが良い。
一例を挙げると、アプリケータに設けられた透かし形キャビティの数は、３〜１００、例えば１０〜８０であるのが良い。
【００１４】
支持構造体の少なくとも１つの透かし形キャビティ、例えば、少なくとも上述した３つの透かし形キャビティ、良好には透かし形キャビティの大部分又は透かし形キャビティの全ては、配合物を保持できるサイズを有するのが良い。配合物は、透かし形キャビティ内に保持される場合、アプリケータへの配合物の装填後、キャビティをその軸線に沿って観察した場合、問題の透かし形キャビティの全て又は少なくとも一部を隠すのが良い。
【００１５】
少なくとも１つの透かし形キャビティ、良好には透かし形キャビティの大部分は、もっとも大きな寸法を有するのが良く、この寸法は、３ミリメートル（ｍｍ）以下であり、良好には２ｍｍ以下であり、より良好には１．５ｍｍ以下である。
透かし形キャビティは、幾つかの実施形態では、実質的に同一の形状を有しても良い。透かし形キャビティは、任意形状のものであって良い。少なくとも１つの透かし形キャビティ又は透かし形キャビティの全て若しくは大部分は、上から観察した場合、周方向に閉鎖されるのが良い。
例えば、透かし形キャビティは、アプリケータを透かし形キャビティの軸線に沿って上から観察した場合、複数の枝状部により全体が構成されるのが良い。
【００１６】
アプリケータは、中央コアを備えた支持構造体を更に有するのが良い。一例を挙げると、コアは、主要支持体が一端部に取り付けられたアプリケータのステムと一線をなして延びるのが良い。コアは、直線状又は湾曲状のものであって良い。
アプリケータは、場合によっては一部が少なくとも１つの透かし形キャビティを構成できる閉鎖フレームから成る支持構造体を有するのが良い。枝状部は、オプションとして、平面、例えばフレームにより定められた平面に平行に又はかかる平面の外部に延びても良い。
例えば上述のフレームの輪郭により定められた塗布部材の輪郭は、平面図で見て、次のリスト、即ち、三角形、レンズ豆の形、腎臓の形、矩形又はピーナツの形から選択された形状を有するのが良い。なお、このリストは、限定的なものではない。
【００１７】
アプリケータは、支持構造体の残部、例えば上述のフレームに連結された２つの端部を備えた少なくとも１つの枝状部を有するのが良い。枝状部の全て又は大部分は、支持構造体の残部に連結された２つの端部を有するのが良い。
歯を支持した枝状部をこれらの端部のところ以外のところで、例えば他の枝状部を介して互いに連結されても良く、これら他の枝状部は、オプションとして、これらの端部が上述のフレームに連結される。
【００１８】
アプリケータは、特に支持構造体が中央コアを有している場合、単一の接合ゾーンを介して支持構造体の残部に連結された少なくとも１つの枝状部を有するのが良い。
枝状部の全て又は大部分を単一の接合ゾーンを介して支持構造体の残部に連結するのが良い。
【００１９】
接合ゾーンを、枝状部の端のところ以外のところに位置するのが良く、例えば、枝状部の中間のところ又は支持構造体の長手方向付近の上又はその中に位置する。変形例として、接合ゾーンは、枝状部の端のところに位置しても良い。
一例を挙げると、アプリケータに設けられた歯の全個数は、２０〜８００、例えば１つの面当たり２０〜３００、例えば１つの面当たり４０〜２００であるのが良い。アプリケータに設けられた歯の全個数は、例えば、１２０〜３６０であるのが良い。
【００２０】
適当な場合、アプリケータの１つの面当たりの歯の個数は、種々のメーキャップ効果を生じさせるために互いに異なっていても良い。
塗布部材は、各々歯を有する３つ又は４つ以上の面を有するのが良い。
支持構造体の各面は、オプションとして、平面に全体として平行に延びても良い。
【００２１】
幾つかの実施形態では、アプリケータの１つの面上に設けられる歯の個数は、１平方センチメートル（ｃｍ2）当たり１０〜１００又は１ｃｍ2当たり２０〜８０であるのが良く、歯は、例えば両方向に均等に分布して配置される。
一例を挙げると、アプリケータに設けられる枝状部の個数は、５〜５０、例えば７〜４０、例えば９〜３０であるのが良く、枝状部は、場合によっては、少なくとも一部が支持構造体内に位置し又は実際には全体が支持構造体内に位置する。
【００２２】
枝状部相互間の距離は、一定であっても良く、様々であっても良い。
少なくとも１つの枝状部又は枝状部の全て若しくは大部分は、直線状であるのが良い。
少なくとも１つの枝状部又は枝状部の全て若しくは大部分は、非直線状であっても良く、例えば、支持構造体の長手方向軸線を含む平面内で湾曲していても良く又は変形例では、支持構造体の長手方向軸線を含まない平面内で湾曲していても良い。
【００２３】
少なくとも１つの枝状部は、これを支持構造体の長手方向軸線に沿って観察した場合、凸状であるのが良く、例えば、その厚さは、支持構造体の最大厚さ以下である。
アプリケータは、０．０１ｍｍ〜２ｍｍ又は０．１ｍｍ〜１ｍｍ、例えば０．５ｍｍ〜０．８ｍｍの距離だけ互いに間隔を置いた２つの隣り合う枝状部を有するのが良く、この距離は、枝状部の隣り合う縁相互間で測定される。
少なくとも１つの枝状部又は枝状部の全て若しくは大部分は、アプリケータを上から観察した場合、支持構造体の長手方向軸線の各側で延びるのが良い。
【００２４】
上から観察した場合、塗布部材は、歯の複数の列を支持した面を有するのが良く、各列は、塗布部材の長手方向軸線を横切ると共に中間平面の各側で実質的に等しい距離にわたって延びる。
枝状部は、支持構造体の１つの側で或る特定の仕方で、例えば直線状に延びると共に支持構造体の反対側では別の仕方で、例えば波形に延びるのが良い。
幾つかの実施形態では、枝状部は、支持構造体の１つの面上で直線状に延びると共に反対側の面上で直線状に延びる。
【００２５】
他の実施形態では、枝状部は、支持構造体の１つの面上で波形に延びると共に支持構造体の反対側の面上で波形に延びる。
アプリケータは、格子状の支持構造体を有するのが良く、それにより、配合物を装填したり配合物を睫毛又は眉毛に塗布したり睫毛又は眉毛を梳いたりするのが容易になる。
支持構造体が透かし形状構造体、特に格子状構造体である幾つかの実施形態では、支持構造体は、容器内のミキサーとしての役目を果たして例えば塗布前に配合物を均質化する。
【００２６】
支持構造体の第１の面から外方に延びる歯は、第１の組をなす枝状部から延びるのが良く、第１の面から見て反対側の支持構造体の第２の面から外方に延びる歯は、第２の組をなす枝状部から延びるのが良い。
アプリケータは、上から観察した場合、互いに交差する枝状部を有するのが良い。枝状部は、オプションとして、規則的に互いに交差するのが良い。
第１の組に属する枝状部と第２の組に属する枝状部は、支持構造体の幾何学的中間表面に対して互いに異なる高さのところに配置されるのが良い。
例えば、第１の組に属する枝状部は、支持構造体の第１の側上に延びるのが良く、第２の組に属する枝状部は、第１の側から見て反対側の支持構造体の別の側上に延びるのが良い。
【００２７】
第１の組に属する枝状部のうちの幾つか又は全ては、互いに平行に延びるのが良い。
第２の組に属する枝状部のうちの幾つか又は全ても又、互いに平行に延びるのが良い。
第１の組に属する枝状部は又、支持構造体の幾何学的中間表面に対し、第２の組に属する枝状部と同一の高さ位置で延びるのが良い。
第１の組に属する枝状部のうちの幾つか又は全ては、第２の組に属する枝状部のうちの幾つか又は全てとゼロではない角度をなすのが良い。この角度は、例えば、１０°〜１７０°又は２０°〜１６０°であるのが良く、良好には３０°〜１５０°である。
【００２８】
歯の自由端部は、エンベロープ表面を構成するのが良く、エンベロープ表面は、その長さに沿う少なくとも１つの箇所のところに、例えば、少なくとも一部が凸状である断面を有する。代替例として又は追加例として、エンベロープ表面の断面は又、凹状であっても良く又は少なくとも一部が平らであっても良い。
歯の自由端部は、満足のいく仕方で睫毛に係合するようになっていて、睫毛又は眉毛を梳いて分けるのを容易にするエンベロープ表面を構成するのが良い。
具体的に言えば、睫毛を配合物が塗布されている間、複数の列の複数の歯相互間で係合させるのが良い。
【００２９】
歯の長さ及び列の配置状態の関数として、エンベロープ表面の形状は、様々であって良く、それにより、適当な場合、睫毛を斜めの運動で複数の列で梳くことができるようにする突出部を作ることができる。
【００３０】
２つの互いに異なる枝状部、特に２つの隣り合う枝状部の歯の自由端部は、枝状部の各々についてそれぞれの曲線を定めることができ、２本の曲線は各々、支持構造体の幾何学的中間表面が支持構造体の厚さの中間のところで交差する場合、支持構造体の幾何学的中間表面から最も遠くに位置する高い箇所を有し、２つの高い箇所は、支持構造体の長手方向軸線に対して互いに別々に位置する。
【００３１】
３つの互いに異なる枝状部、特に３つの連続して位置する枝状部の歯の自由端部は、枝状部の各々についてそれぞれ曲線を定めることができ、３本の曲線は各々、支持構造体の幾何学的中間表面から最も遠くに位置する高い箇所を有し、３つの高い箇所は、整列していない。
【００３２】
１つの面の少なくとも１つの列、良好には少なくとも３つの上述の列、より良好には列の大部分又は列の全ては、少なくとも４つの歯を有するのが良く、歯の数は、例えば４〜２５である。歯の高さは、１ｍｍ〜１２ｍｍ又は２ｍｍ〜８ｍｍであり、良好には３ｍｍ〜６ｍｍである。１つの列の２つの歯相互間の距離は、２つの隣り合う列の軸線相互間の距離よりも短いのが良い。
【００３３】
歯の高さは、歯の少なくとも１つの列の端のところ又は各列の端のところで減少しているのが良い。これにより、塗布を一層徐々に行うことができると共に（或いは）ワイパー部材を通過しやすくなる。
歯の高さは、アプリケータを側から観察した場合、支持構造体の近位端部及び遠位端部のところで減少しているのが良い。
アプリケータのエンベロープ表面は、エンベロープを側から観察した場合、凸状の縦断面を有するのが良い。
【００３４】
少なくとも１つの透かし形キャビティ、例えば少なくとも１つ置きの透かし形キャビティは、透かし形キャビティ上に延びる歯を備える必要はない。
少なくとも１つの歯は、対応関係にある枝状部から支持構造体の長手方向軸線に垂直な方向に延びるのが良い。
支持構造体が平面内において平らな形状を有する場合、複数個の歯が、この平面に垂直に延びるのが良い。
【００３５】
少なくとも１つの歯は、対応関係にある枝状部から、支持構造体の長手方向軸線に垂直ではない方向に延びるのが良い。少なくとも１つの歯は、対応関係にある枝状部と９０°未満の角度をなすのが良い。
アプリケータは、互いに平行な列をなして配置された歯を有するのが良く、歯の少なくとも１つの列を通る軸線は、オプションとして、直線状であっても良く或いは曲線状であっても良く、例えば外方に凹状又は凸状であって良い。
【００３６】
歯の少なくとも１つの列の軸線は、正弦波状であっても良い。歯の列の軸線は、かくして、歯のベースの中心を通る線によって定められる。
アプリケータは、例えば単一の枝状部又は２つに互いに異なる枝状部から延びる互いに異なる形状の少なくとも２つの歯を有するのが良い。
アプリケータは、支持構造体の主要支持体から延びる歯を有するのが良く、この主要支持体から枝状部が延びる。
【００３７】
１つの列に属する少なくとも複数個の連続して並んだ歯を対応関係にある枝状部上に互い違いの形態をなして又は他の何らかの形態をなして配置するのが良い。
１つの列に属する複数個の連続して並んだ歯は、少なくとも一部が、幾何学的分割表面の各側に交互にこの表面の各側でオフセットした状態で延びるのが良い。
１つの列に属する少なくとも２つの歯は、接触又は互いに間隔を置いたベースを有するのが良い。１つの列に属する少なくとも２つの連続して並んだ歯は、アプリケータを列の軸線に実質的に垂直な方向に沿って又は変形例では列の軸線に実質的に平行な方向に沿って観察した場合、これら歯相互間にＶ字形の溝を形成するのが良い。
【００３８】
歯の形態は、達成されるべきメーキャップ効果、例えば、ヘビーな又はライトな程度にメーキャップされるべきメーキャップ効果の関数として選択されるのが良い。
１つの列に属する少なくとも３つの歯は、オプションとして、この列の軸線に沿って等間隔を置いて配置されるのが良い。
アプリケータは、少なくとも第１の列をなす歯及び第２の歯を有するのが良く、第１の列は、第１の間隔で互いに並んだ少なくとも３つの歯から成り、第２の列は、第２の間隔を置いて互いに並んだ少なくとも３つの歯から成る。
【００３９】
第１の間隔は、第２の間隔と等しくても良く、或いは第２の間隔とは異なっていても良い。第１の列及び第２の列は、同一の枝状部によって支持されても良く、或いは、２つの互いに異なる枝状部によって支持されても良い。
【００４０】
歯は、種々の形状を有しても良く、特に、歯は、形状が細長くても良く、例えば、オプションとして円形断面の円筒形、オプションとして直線状長手方向軸線の円錐形、切頭円錐形又はピラミッド形のペグの形状を有しても良い。歯は、丸い自由端部を有するのが良い。歯は、形状が全体として平らであるのが良く、例えば考察中の歯を支持した枝状部の長手方向軸線に実質的に垂直な長い軸線に沿って細長い断面を有する。
【００４１】
一例を挙げると、断面で見て、歯は、０．２ｍｍ以上であり、良好には０．５ｍｍ以上の長い横方向寸法を有し、フロック加工ブリッスル（剛毛）とは異なる。例えば、歯が円筒形ペグである場合、これらの直径は、０．２ｍｍ以上であるのが良い。
【００４２】
アプリケータは、支持構造体と同種の材料、具体的に言えば枝状部及び（又は）主要支持体と同種の材料で作られた歯を有するのが良い。
主要支持体、枝状部及び歯は、成形、射出成形又は他の何らかの仕方で一体品として作られるのが良い。
【００４３】
アプリケータは、支持構造体の材料とは異なる材料で作られた少なくとも１つの歯を有するのが良い。
一例を挙げると、歯は、支持構造体の材料とは異なる材料、例えば可撓性の異なる材料を支持構造体上に射出成形することにより作られたものであるのが良い。
【００４４】
主要支持体及び（又は）少なくとも１つの枝状部及び（又は）歯は、全体がポリエチレンテレフタレート（ＰＥＴ）、ポリオキシメチレン（ＰＯＭ）、ポリアミド（ＰＡ）、ポリスチレン（ＰＳ）、ポリプロピレン（ＰＰ）又はポリエチレン（ＰＥ）で作られるのが良く、このリストは、限定的なものではない。
【００４５】
主要支持体及び（又は）少なくとも１つの枝状部及び（又は）歯は、全体が軟質又はエラストマー材料、特にシリコーンゴム又はニトリルゴムエチレンプロピレンターポリマーゴム（ＥＰＤＭ）、エチルビニルアセテート（ＥＶＡ）、ポリ塩化ビニル（ＰＶＣ）、ポリウレタン（ＰＵ）、ラテックス又はブチルゴム、又は特にテレフタレート、ブテン及び層別化ポリテトラメチレンオキシドグリコールのコポリマーを含む熱可塑性エラストマー、SANTOPRENE（登録商標）、ブロックアミドポリエーテルを含むHytrel（登録商標）、Pebax（登録商標）で作られても良く、このリストは、限定的なものではない。
【００４６】
支持構造体及び（又は）歯は、磁性粒子又は磁化可能な粒子を含んでいても良い。
主要支持体及び枝状部は、射出成形材料により一体品として製作されるのが良い。
アプリケータは、支持構造体、特に主要支持体が取り付けられるステムを有するのが良い。
支持構造体をステムに装着するのが良く、或いは、変形例として、支持構造体は、ステムと一体に作られても良い。支持構造体は、別の材料でステムと一緒に成形されても良く又はステムと複合成形されても良い。
【００４７】
側面図で測定して支持構造体の厚さは、ステムの最も大きな横方向寸法以下であるのが良い。
ステムは、支持構造体から見て遠くのその端部のところが、塗布のための配合物を収容した容器を漏れ止め状態で閉鎖するためのクロージャキャップに連結されるのが良い。ステムは、少なくとも１つの弾性変形可能な可撓性部分を有するのが良く、それにより、例えばクロージャキャップに対する塗布部材の向きを調節することができる。
【００４８】
ステムは、支持構造体の長手方向軸線と一致した長手方向軸線を有するのが良い。変形例として、支持構造体は、ステムの軸線に平行であるがこれからオフセットした長手方向軸線又はステムの軸線とゼロではない角度をなした長手方向軸線を有しても良い。
ステムは、細い部分、例えば、アプリケータが関連の容器上の定位置にあるとき、ワイパー部材のところに位置決めされる細い部分を有するのが良い。
【００４９】
本発明は又、その特徴のうちの別の特徴として且つ上述の特徴とは別個に又はこれと組み合わせて、睫毛又は眉毛に配合物を塗布するアプリケータであって、
・全体として平らであり且つ長手方向軸線に沿って細長く、第１及び第２の互いに反対側に位置する主要面を備えた形状の透かし形状支持構造体を有し、
・第１の主要面から延びる歯の少なくとも３つの列を有し、各列は、少なくとも３つの歯を有し、列は、長手方向軸線に対して斜めに延びると共に長手方向軸線に沿って互いに間隔を置いて位置し、
・第２の主要面から延びる歯の少なくとも３つの列を有し、各列は、少なくとも３つの歯を有し、列は、長手方向軸線に沿って互いに間隔を置いて位置していることを特徴とするアプリケータを提供する。
【００５０】
第１の面の列は、支持構造体を上から観察した場合、主要面に垂直な方向において第２の面の列上に重ね合わされるのが良い。
変形例では、第１の面の列の軸線は、支持構造体を上から観察した場合、第２の面の列の軸線を横切る。
【００５１】
本発明は又、その特徴のうちの別の特徴として、且つ上述の特徴とは別個独立に又はこれと組み合わせて、睫毛又は眉毛に配合物を塗布するアプリケータであって、
・長手方向軸線に沿って細長く、全体として平らな断面を有する塗布部材と、
・塗布部材の少なくとも１つの面上に設けられた少なくとも５つの歯、良好には少なくとも１００個の歯とを有し、好ましくは、歯は、１ｃｍ2当たり１０個以上の歯が存在する密度、良好には１ｃｍ2当たり２０個以上の歯が存在する密度、より良好には１ｃｍ2当たり１０〜１００のうちの任意の整数個以上の歯が存在する密度で設けられることを特徴とするアプリケータを提供する。
【００５２】
塗布部材は、歯を支持していて、オプションとして透かし形キャビティが貫通して設けられた支持構造体を有するのが良く、透かし形キャビティは、場合によっては、アプリケータ全体にわたり実質的に一様に分布して設けられ、例えば、透かし形キャビティの数及び（又は）透かし形キャビティの密度は、上述した通りである。透かし形キャビティは、規則的に分布して配置されるのが良い。
【００５３】
塗布部材は、単一の面又は２つの互いに反対側の面から延びる歯を有するのが良い。
歯は、列をなして、例えば、互いに平行な列をなして配置されるのが良く、これら歯は、好ましくは、アプリケータを上から観察した場合、列が通る塗布部材の長手方向軸線に対して斜めに延びる。列の数は、例えば上述した通りである。
【００５４】
歯の高さは、歯の少なくとも１つの列の端又は歯の各列の端のところで減少しているのが良い。
歯の高さは、アプリケータを側から観察した場合、塗布部材の近位端部及び遠位端部のところで減少しているのが良い。
塗布部材のエンベロープ表面は、アプリケータを側から観察した場合、少なくとも歯の自由端部により構成されるエンベロープ表面の部分に関し、凸状の縦断面を有するのが良い。
塗布部材のエンベロープ表面は、塗布部材の長手方向軸線を含み、例えば塗布部材の厚さの中間のところで交差する中間平面に関し全体として対称であるのが良い。
【００５５】
本発明は又、その特徴のうちの別の特徴として、且つ上述の特徴とは別個独立に又はこれと組み合わせて、睫毛又は眉毛に配合物を塗布するアプリケータであって、
・ステムと、
・ステムの一端部のところに設けられた塗布部材とを有し、塗布部材は、互いに実質的に平行に且つ塗布部材の長手方向軸線に対して斜めに延びる歯の複数の列を有し、ステムが右側に位置した状態で塗布部材を上から観察した場合、上側から下側に且つ左から右側に延びることを特徴とするアプリケータを提供する。
【００５６】
歯の列は、全体として平らな支持構造体から延びる。
列のうちの大部分は、好ましくは、少なくとも３つの歯、良好には少なくとも４つの歯を有する。
【００５７】
本発明は又、その特徴のうちの別の特徴において、睫毛又は眉毛への塗布のためのメーキャップ又はケア製品を含む配合物の包装型アプリケータ器具であって、
・上述のアプリケータのうちの１つと、
・睫毛又は眉毛に塗布される配合物とを有することを特徴とする包装型アプリケータ器具を提供する。
【００５８】
アプリケータ器具は、配合物を収容した容器を更に有するのが良い。
容器は、ワイパー部材を有するのが良い。
容器は、マニプレータ部材を作動させた場合、配合物が塗布部材の透かし形キャビティを通って流れるようにするように構成されているのが良い。
【００５９】
本発明は又、その特徴のうちの別の特徴において、睫毛又は眉毛に配合物を塗布する方法であって、
・上述のアプリケータのうちの１つに配合物を装填するステップと、
・配合物を睫毛又は眉毛に塗布するステップとを有することを特徴とする方法を提供する。
【００６０】
塗布部材に、その透かし形キャビティ（もし設けられていれば）が配合物で完全に満たされるような仕方で配合物を装填するのが良いが、このようにするかどうかは、任意である。
アプリケータに配合物を装填しながら、配合物は、透かし形キャビティを通って流れるようになることが可能である。配合物は又、適当な場合、塗布部材によって混合されるのが良い。
ステムに適当な場合、バイブレータによって振動を与えるのが良い
【発明を実施するための最良の形態】
【００６１】
本発明は、その非限定的な実施形態についての以下の詳細な説明を読むと共に本願の一体部分を形成する添付の図面を参照すると良好に理解できる。
【００６２】
図１に示す包装型アプリケータ器具（包装兼用塗布器具）１は、睫毛及び（又は）眉毛に塗布される配合物Ｐ、特にメーキャップ、例えばマスカラ又はケア製品を収容した容器２と、配合物Ｐを取り出してこれを塗布するアプリケータ３とを有している。
【００６３】
考察中の実施形態では、容器２は、ワイパー部材６が収納されるネック５を備えた本体４を有している。
【００６４】
アプリケータ３は、単一のステム（軸）８を有し、このステムは、一端が取っ手９に連結され、この取っ手は又、容器２を漏れ止め状態で閉鎖するクロージャキャップを構成している。
【００６５】
図示の実施形態では、ステムは、直径が一定の円筒形であるが、ステム８が、容器２を閉鎖したときにステム８を貯蔵中変形させないように例えばワイパー部材６のところ、特にそのリップのところに位置する細い部分を有することは、本発明の範囲から逸脱しない。
【００６６】
ステム８の他端部は、図２〜図６に単独に示されていて、以下に説明する塗布部材１０を支持している。
一例を挙げると、ワイパー部材６は、ステム８及び塗布部材１０を拭うようになっている。
【００６７】
塗布部材１０の形状及びその構成材料並びにワイパー部材６の形状及び種類に応じて、塗布部材１０は、オプションとして、ワイパー部材６の通過の際に変形しても良い。
一例を挙げると、塗布部材１０を容器２から引き出した後に塗布部材１０に付けたままにしておくことが望ましい配合物の量の関数としてワイパー部材６を選択することが可能である。
一例を挙げると、塗布部材１０とワイパー部材６の両方は、アプリケータ３を引き抜いている間、変形する場合がある。
【００６８】
図２〜図６を参照すると、塗布部材１０は、主要支持体１１と、塗布部材を図２の場合のように上から観察したときに主要支持体１１内に位置する枝状部２０とから成る支持構造体を有する。
【００６９】
主要支持体１１は、長手方向軸線Ｘに沿って全体として細長い形状を呈し、この長手方向軸線Ｘは、考察中の実施形態では、ステム８の長手方向軸線Ｙと一致する。
考察中の実施形態では、主要支持体１１は、例えば長手方向軸線Ｘに平行な２つの横方向側部１１ａ，１１ｂを備えたフレームの形態をしている。
主要支持体の遠位部分１５は、好ましくは、塗布部材１０を容器内に容易に戻すことができるように図示のようにテーパしている。
【００７０】
考察中の実施形態では、主要支持体１１の近位部分１６は、例えばステムのハウジング内に挿入されることによりステム８に取り付け可能な端部品１７に連結されている。取り付けは、例えば、ヒートシール、スナップ止め、圧力嵌め、圧着及び（又は）接着剤により実施されるのが良い。
主要支持体１１の近位部分１６は、塗布部材がワイパー部材６を貫通しやすくするよう端部品１７に向かってテーパしている。支持体をステムに取り付ける端部品１７は、特に図４で理解できるように、丸いフィレット１７ａを介して支持構造体の平らな部分に連結されるのが良い。
【００７１】
変形例では、主要支持体１１は、例えばプラスチック材料の成形によりステム８に一体に形成される。
一例を挙げると、図示のように、主要支持体１１は、支持体の長さの半分以上にわたり、例えば、図示のように支持体の実質的に目に見える長さ全体にわたり実質的に一定であるのが良い最大厚さｅを有する全体として平らな形状を呈している。
一例を挙げると、塗布部材１０の目に見える長さＬは、１０ｍｍ〜４０ｍｍである。
考察中の実施形態では、枝状部２０は、透かし形状（透かし細工状）構造体を形成している。
一例を挙げると、枝状部２０は、第１の組をなす枝状部２１と、第２の組をなす枝状部２２とから成っている。
【００７２】
考察中の実施形態では、第１の組に属する枝状部２１の各々は、塗布部材を上から観察したときに、長手方向軸線Ｘに対して斜めに延び、即ち、図２に示すように、例えば右側から左側に差し向けられると共に下側から上側に差し向けられている。
一例を挙げると、第２の組に属する枝状部２２は、塗布部材１０を上から観察した場合、枝状部２１を横切るような仕方で長手方向軸線Ｘに対して斜めに差し向けられており、枝状部２１，２２は、支持構造体を貫通する透かし形キャビティ３０を備えた格子構造体を形成している。
【００７３】
考察中の実施形態では、枝状部２１は、互いに平行であり、例えば軸線Ｘと３０°〜６０°の角度をなし、これら枝状部は、長さｎの実質的に一定のピッチで互いに間隔を置いて位置している。
一例を挙げると、枝状部２２は、互いに平行であり、軸線Ｘに対して角度βをなして差し向けられており、この角度βは、例えば、角度αに等しく、例えばほぼ４０°である。
【００７４】
上述の角度の値α及びβは、対応の列の長手方向軸線にも当てはまる。
２つの隣り合う枝状部２２相互間の距離ｍは、上述の距離ｎに等しい。
枝状部２１，２２の数及びこれらの配置状態は、透かし形状密度３０ｃｍ2が例えば範囲２〜１２０にあるようなものである。
塗布部材１０を例えば図２の平面図で観察すると、枝状部２１又は枝状部２２の幅ｋは、例えば、０．５ｍｍ〜２ｍｍである。
【００７５】
考察中の実施形態では、枝状部２１は、図６で理解できるように、枝状部２２上に延び、それにより、このようにして形成される格子構造体を成形しやすくすると共に配合物を保持するのに適したキャビティを形成しやすくしている。
一例を挙げると、枝状部２１，２２は、図２の平面に垂直に測定した厚さを有し、この厚さは、実質的に、主要支持体１１の厚さｅの半分に相当しており、枝状部２１，２２のそれぞれの厚さの合計は、支持構造体の最大厚さを超える必要はない。
主要支持体１１の幅ｗは、例えば、３ｍｍ〜１５ｍｍである。
一例を挙げると、厚さｅは、ステム８の最も大きな横方向寸法ｄ、特に円形断面のステムに関してその直径よりも小さい。
【００７６】
枝状部２１，２２のうち少なくとも一方は、１列の歯４０を有し、歯４０は、例えば、問題の枝状部の長手方向軸線に沿って一定ピッチで互いに続いて位置している。この列に沿う歯の先端部相互間の測定距離ｐは、例えば、０．５ｍｍ〜３ｍｍである。
枝状部２１又は枝状部２２に沿って延びる列の軸線は、好ましくは、上述の枝状部の軸線と一致するが、変形例では、対応の枝状部の長手方向軸線と角度をなす軸線に沿って延びる列を設けることが可能であり、この角度は、例えば３０°未満、良好には、２０°未満又は１０°未満である。
【００７７】
図示の実施形態では、枝状部２１は全て、１列の歯を支持し、同じことは、枝状部２２の全てについて当てはまる。これは、必ずしも必要条件ではない。例えば、歯は、枝状部２１だけで支持されても良く、枝状部２２は、歯を全く支持しなくても良い。
【００７８】
更に変形例では、アプリケータは、端部のところ以外では互いに連結されていない枝状部２１のみを有しても良い。
一例を挙げると、図６ａ及び図６ｂは、枝状部２１を横切る枝状部２２を備えていないという点で図１〜図６のアプリケータと異なる変形実施形態を示している。
枝状部４０は、支持構造体の単一の主要面１０ａ上で枝状部２１から外方に延びている。
枝状部２１相互間に形成された透かし形キャビティ３０は、この実施形態では、細長い形状を有している。
【００７９】
図１〜図６に示す塗布部材１０は、図６で理解できるように支持構造体の互いに反対側の主要面１０ａ，１０ｂからそれぞれ延びる第１の組及び第２の組をなす歯を有している。
【００８０】
２つの連続した歯の先端部相互間の距離ｐは、１つの面又は両面の歯の列の全てについて同一であるが、図示してない変形例では、この距離は、様々であって良い。
適当な場合、１つの列の歯は、オプションとして接触するベースを備えるのが良い。
【００８１】
考察中の実施形態では、支持構造体の１つの面から延びる歯の全ては、支持構造体の中間平面に垂直な単一の方向に延び、中間平面は、図２の紙面に平行である。
歯４０の高さは、塗布部材上における各歯の配置場所の関数として様々であって良い。
【００８２】
考察中の実施形態では、１つの列の歯は、図５ａで理解できるように、対応関係にある枝状部の端部に向かって減少する高さを有する。歯の高さは又、図４で理解できるように、主要支持体１１の近位領域１６及び遠位領域１５に向かって減少しても良く、それにより、塗布部材１０がワイパー部材を通過しやすくなる。
支持構造体の面に沿って延びる歯４０の自由端部により構成されるエンベロープ表面は、２つの軸線周りに全体として凸状であるのが良く、１つの軸線は、長手方向軸線Ｘに平行であり、他方の軸線は、この長手方向軸線に垂直であると共に支持構造体の平らな面に平行である。
塗布部材のいずれかの面上の歯４０の数は、比較的多いのが良く、例えば、数として４０〜２００である。
【００８３】
塗布部材１０は、１つの面の歯４０を図７に示すように睫毛Ｃに接触させることにより容器２から引き出した後でも使用できる。歯の列の向きが長手方向軸線Ｘに対して斜めであり、睫毛に接触する面上で図７に示すように右側から左側に延びると共に下側から上側に延びて睫毛の侵入及び梳きを促進することが有利であることが分かる。
塗布部材が使用中の場合、睫毛Ｃは、複数の連続した列に属する歯に同時に接触することができる。
【００８４】
本発明の一実施形態では、塗布部材１０は、図７で目に見える面から見て反対の側に、枝状部２２によって支持されていて、枝状部２１によって支持された列を横切る歯の列を有し、したがって、塗布部材を半回転回すと、ステムが左側に位置しているか右側に位置しているかとは無関係に、目に見える列に関して、睫毛に対し図７に示す向きと同一の向きが得られ、それにより、両眼を同じ仕方でメーキャップすることが可能になる。
【００８５】
しかしながら、本発明の変形実施形態では、塗布部材は、図７で目に見える面から見て反対側のその面上に、枝状部２１により支持された歯の列上に重ね合わされ又はこれらに平行な軸線を有する歯の列を有する。
この場合、塗布部材１０をひっくり返すと、睫毛に接触する列の向きが変わり、左側から右側に延びると共に下側から上側に延びる。これにより、塗布部材のどの面を用いるかに応じてメーキャップを２つの互いに異なる仕方で塗布することができる。
支持構造体、特に主要支持体１１には、図１〜図６に示す形状とは異なる形状、例えば、互いに反対側の側部１１ａ，１１ｂが互いに平行ではない形状を与えることができる。
一例を挙げると、図８は、塗布部材１０の輪郭を平面図で示しており、この場合、支持構造体は、全体として三角形である輪郭を備えている。
【００８６】
図９では、支持構造体１１は、２つの互いに反対側の凹状側部１１ａ，１１ｂを備えた断面図で見てピーナツ形の形状を有している。
【００８７】
図１０の実施形態では、側部１１ａ，１１ｂは、外方に凸状であり、図１１の実施形態では、支持構造体は、全体として腎臓の形をしており、側部１１ａ，１１ｂは、それぞれ、凸状及び凹状である。
主要支持体１１は、図示の形状以外の形状を有しても良い。
【００８８】
図１２〜図１７は、長手方向軸線に対して横方向の平面において断面で観察した場合の塗布部材に関する種々のエンベロープ表面を示している。
エンベロープ表面は、少なくとも一部が、歯の自由端部により構成され、歯が存在しない場合には、支持構造体の輪郭により構成される。
【００８９】
図１２の実施形態では、エンベロープ表面は、断面で見て、図１３の実施形態では全体としてレンズ豆の形状、図１４の実施形態では全体として矩形の形、図１５の実施形態では、支持構造体の中間平面Ｍの各側に互いに異なるプロフィールを備えた形状を有している。図１６の実施形態では、エンベロープ表面の断面は、形状が円形である。塗布部材は、少なくとも一部が円形又は球形のエンベロープ表面を有していても良い。
【００９０】
図１７の実施形態では、塗布部材は、支持構造体の１つの側にのみ設けられた歯を有し、塗布部材のエンベロープ表面は、半月の形の断面を有している。
【００９１】
図１８は、歯の列が、列に沿って様々な高さを有することができることを示している。
一例を挙げると、高さは、各列の歯の先端部を結ぶ曲線の高い箇所が塗布部材を上から見た場合に、塗布部材１０の長手方向軸線Ｘの互いの反対の側に交互に位置するような仕方で様々であるのが良い。
特に、主要支持体１１が図１９に示すようにフレームの形態をしている場合、枝状部２０を一端部でのみ主要支持体に連結するのが良く、各枝状部の他端部は、自由な状態にある。
枝状部２１のうち少なくとも幾つかをこの図で理解できるように、材料のブリッジで互いに連結するのが良く、これら材料ブリッジは、例えば他の枝状部２２により構成され、これら枝状部２２は、オプションとして、主要支持体１１に連結されるのが良い。
【００９２】
図２０は、塗布部材１０が歯を支持すると共に長手方向軸線Ｘに対して実質的に同一の向きを有する複数個の枝状部２１を有することができることを示す略図であり、格子状支持構造体を形成するよう枝状部２１と協働する他の枝状部２２は、歯を全く備えていない。
支持構造体が上から観察して格子状の形を有する場合、歯は、実質的に一定の厚さの格子により支持されるのが良い。
【００９３】
図２１は、同一の厚さを有すると共にかかる格子を形成する枝状部２１，２２を示しており、この格子は、互いに交差する長手方向軸線を有すると共に同一高さに位置する頂部面及び底部面を有している。かかる格子の透かし形キャビティは、種々の形状のものであって良く、例えば、多角形又は円形のものである。
【００９４】
別の変形例では、図２２に示すように、枝状部２１，２２は、ゼロではない距離、例えば、主要支持体１１又は支持構造体の任意他の要素の厚さに等しい距離だけ互いに間隔を置いて配置されるのが良い。
支持構造体は、その面のうちの一方又はその面の両方に歯を備えるのが良い。歯は、１つの面上に平行な列をなして配置されるのが良い。他の面上では、歯は、第１の面の列の軸線を横切り又はこれら軸線に平行な軸線を有する列に沿って配置されるのが良い。
【００９５】
図２３は、枝状部２１と枝状部２２を互いに平行に且つ長手方向軸線Ｘに対して斜めに差し向けることができることを示す略図であり、枝状部２２は、必ずしも歯を支持する必要はない。
【００９６】
図２４は、塗布部材が枝状部２０を有し、これら枝状部がこれらのうちの少なくとも幾つかについて直線状ではない可能性を示している。
塗布部材は、互いに実質的に平行であって直線状ではない枝状部２０を有することができる。
枝状部２０が全て平行である必要はない。
【００９７】
図２５は、塗布部材が例えば互いに平行な第１の組をなす枝状部２１及び第２の組をなす枝状部２２を有する可能性を示しており、枝状部２２は、交差部を形成するよう枝状部２１と協働し、枝状部２１，２２は、直線状ではなく、例えば主要支持体１１の２つの横方向側部を互いに連結する長手方向軸線Ｘに全体として横方向に延びている。
【００９８】
一例を挙げると、図２６の実施形態では、枝状部２０は、塗布部材１０を上から観察した場合、互いにぐるりと包囲した状態で延び、例えば、枝状部２３により互いに連結され、この枝状部２３は、例えば塗布部材の長手方向軸線Ｘに実質的に平行に延びている。枝状部２３は、オプションとして、歯を支持するのが良い。
この実施形態では、枝状部２０は、一方の側にのみ歯を支持し、或いは、変形例では、両側に歯を備える。
【００９９】
図２７の実施形態では、支持構造体は、全体として塗布部材に沿って延び、波形の形状を有する第１の組をなす枝状部２１を有し、歯は、一方の側に、例えば、図２７に示すように、塗布部材を上から観察した場合、目に見える側に設けられている。
【０１００】
この実施形態では、支持構造体は、これ又波形の形を有し、例えば枝状部２１の下に延びてこれらと協働して格子状構造体を形成する第２の組をなす枝状部２２を更に有するのが良い。
枝状部２２は、図２７に見える面から見て反対側の支持構造体の面のそばに歯を支持するのが良い。
枝状部２１，２２は、これらの端部が主要支持体１１の近位領域１６及び遠位領域１５に連結されるのが良い。
【０１０１】
支持構造体は、支持構造体の１つの面上に設けられていて、少なくとも１つの枝状部２１によって支持された１つ又は２つ以上の列をなす歯を有するのが良く、第２の面は、必ずしも歯を有する必要はなく又は場合によっては、第１の列から見て反対側に第２の列をなす歯４０を有する。枝状部２１は、支持構造体の中でのみ延びても良く、或いは、図２８に示すように、これらの端部の各々のところで主要支持体１１から外方に突き出ても良い。この図では、図面を分かりやすくする目的で、枝状部が１つしか示されていない。
【０１０２】
別の変形例では、支持構造体は、図２９に示すように歯を備えていない１つ又は２つ以上の中央長手方向枝状部２５及び１つ又は２つ以上の斜めの枝状部を更に有するのが良く、図面を分かりやすくする目的で、これら斜めの枝状部のうちの１つだけが示されている。
【０１０３】
別の変形例では、支持構造体は、反対側の面に少なくとも１つの第２の枝状部２２を有するのが良く、この反対側の面は、図３０に示すように、例えば、第２の枝状部２２を横切る少なくとも１つの枝状部２１を有するのが良い。
【０１０４】
図３１は、支持構造体が各々１列の歯を支持した少なくとも２つの枝状部２１を有し、これら枝状部が、互いに平行に延びてはおらず、これら枝状部は、これらの端部が支持構造体の主要支持体１１から外方に突き出ている。枝状部２１を図示のように互いに逆の方向に差し向けるのが良い。
【０１０５】
図３２に示すように、支持構造体が、複数の枝状部２１を有し、これら枝状部は、各々、支持構造体の１つの側で主要支持体１１を越えて突き出た一端部を有している。
図３３及び図３４に示すように、支持構造体の主要支持体１１は、閉じられたフレームにより構成される必要はなく、例えば、２つの反対側の枝分れ部１１１ａ，１１１ｂを有していても良く、これら枝分れ部は、これらの端部のうちの一方が互いに連結されていない。
【０１０６】
支持構造体は、図３３に示すような単一の枝状部を有しても良く、或いは、図３４に示すような複数の枝状部を有しても良い。図３４では、枝分れ部１１１ａ，１１１ｂは、これらの自由端部のところが互いに向かって湾曲している。
支持構造体の枝状部２１は、支持構造体内に枝状部２１を形成しても良く、これら枝状部は、図３５に示すように、中央枝状部２５から支持構造体の主要支持体の互いに反対側の縁部１１ａ，１１ｂに向かって延びている。
【０１０７】
図３６は、支持構造体が支持構造体の第１の面上でジグザグに配置された枝状部２１及びこれ又第１の枝状部２１を横切るようジグザグに配置された反対側の枝状部２２を有する別の変形例を示しており、枝状部２１及び（又は）枝状部２２は、歯４０を支持している。
変形例では、枝状部２１，２２は、同一平面内で延びていても良い。
枝状部２１及び（又は）枝状部２２は、図３７に示すように例えば曲線状であっても良い。かくして、枝状部は各々、少なくとも一部が支持構造体の長手方向軸線Ｘに対して斜めに延びる曲線状の列をなす歯を有するのが良い。
【０１０８】
支持構造体の主要支持体１１は、図３８に示すように支持構造体の長手方向軸線Ｘに垂直に延びる歯４５を更に有するのが良い。
少なくとも１つの曲線状枝状部２１は、中央コアの形態をした主要支持体によって支持されても良く、かかる中央コアは、図３９に示すように直線状であり又は図４０に示すように曲線状である。
枝状部２１，２２は、塗布部材の面の各々に互いに類似した形状を有しても良く、互いに異なる形状を有しても良い。
【０１０９】
例えば、図４１に示すように、枝状部２１，２２のうちの一方は、直線状の形を有し、枝状部２１，２２のうち他方は、波形の形状を有しても良い。かかる実施形態では、塗布部材は、その面のうちの単一の一方に歯を有しても良く、或いは、変形例では、その面の両方に歯を有しても良い。
当然のことながら、更に別の形態の枝状部を本発明の範囲から逸脱しないで想定できる。
【０１１０】
具体的に言えば、図示していない変形例では、枝状部は、材料のブリッジで形成され、かかる材料ブリッジは、その面のうちの少なくとも一方に歯を支持した有孔メンブレンの穴相互間に存在する。
【０１１１】
本発明の実施形態では、歯を対応関係にある枝状部に実質的にこれに垂直に連結するのが良く、歯は、例えば支持構造体に関する中間平面に垂直な又は実質的に垂直な方向に差し向けられる。
【０１１２】
歯は、図２の実施形態の場合と同様、塗布部材を平面図で観察した場合、透かし形キャビティ上に延びる必要はない。
歯は、塗布部材を平面図で観察した場合、図４２及び図４３に概略的に示されているように少なくとも一部が透かし形キャビティ３０上に延びるような仕方で作られていても良い。
【０１１３】
図４２では、塗布部材を平面図で観察した場合、歯４０を例えば塗布部材の近位端部又は遠位端部に向かって差し向けるのが良いことが理解できる。
【０１１４】
図４３の実施形態は、対をなす枝状部と関連した歯が、塗布部材１０を平面図で観察した場合、互いに向かって差し向けられる可能性を示している。
２つの隣り合う枝状部に属すると共に互いに向かって差し向けられた歯は、塗布部材を平面図で観察した場合、交互に配置される必要がない。
【０１１５】
支持構造体は、断面が平らな形状を有するのが良い。
支持構造体は、完全に平らであっても良く、或いは、図４４に概略的に示されているようにこれとは異なる形状、特に湾曲した形状を有しても良い。特に、支持構造体は、全体として凹状の、例えば、左右の睫毛の曲線に適合した曲線の主要面１０ｂを有するのが良い。
【０１１６】
図４５は、枝状部２０が、凸状の形状を有し、例えば、主要支持体１１の互いに反対側の横方向側部相互間に弓形を形成する可能性を示している。
このように凸状の枝状部により支持された歯４０を枝状部の法線に沿って局所的に差し向けるのが良い。
歯４０の自由端部は、オプションとして枝状部の軸線に平行であるのが良い曲線を描くのが良い。
【０１１７】
変形例では、枝状部２２は、枝状部２１の側と同一の側に位置する凹状側部を備えた凸状であっても良く、枝状部２１，２２は、主要支持体１１のところ以外のところでは互いに当たらない。
主要支持体１１は、フレームの形態以外の形態、例えば、図４６に示すような中央コアの形態をしていても良く、枝状部２０は、塗布部材を上から観察した場合、例えば主要支持体１１の各側で延びる。
【０１１８】
本発明のこの実施形態では、枝状部２０は、少なくとも１つの自由端部を有する。この図は、図面を分かりやすくする目的で、枝状部２０によって支持された歯４０を全て示しているわけではない。
【０１１９】
さらに、この実施形態では、枝状部２０は全て、長手方向軸線Ｘに対して実質的に同一の向きを有する。一例を挙げると、塗布部材は、成形によりステム８と一体に作られる。
【０１２０】
図４７に示す変形例では、主要支持体１１は、塗布部材１０を上から観察した場合、湾曲した形状を有している。図４８は、塗布部材１０の長手方向軸線Ｘがステム８の長手方向軸線Ｙと角度をなす可能性を示しており、この角度は、例えば、５°〜５０°である。
【０１２１】
図４９に示す変形例では、支持構造体は、遠位部分と角度をなす近位部分を有している。
支持構造体の近位部分は、例えばステム８の軸線と同軸であり、遠位部分は、塗布部材を側から観察した場合、例えば近位部分と角度をなす。
主要支持体は、オプションとして、歯を支持しても良い。図２の実施形態は、主要支持体１１が例えば１つの側に歯を支持する可能性を示しており、これら歯は、枝状部により支持された他の歯に平行に差し向けられる。
【０１２２】
主要支持体は、その周囲全体にわたって歯を支持しても良く、例えば、枝状部２１，２２により支持された歯の列の端っこに位置する歯相互間に配置された歯を更に支持しても良い。
主要支持体１１は、図３８に示すように枝状部２０により支持された歯の向きとは異なる向きを有する歯を更に支持しても良い。例えば、主要支持体の横方向外縁部１１ａ又は１１ｂに、１組の歯、ストライプ又は塗布の際に有効な場合のある任意他の突出部を提供することが可能である。
【０１２３】
図５０の実施形態では、主要支持体１１は、歯を備えておらず、歯は、枝状部上にのみ延びる。
枝状部により支持された１列の歯は、オプションとして互いに同一の歯から成っていても良い。歯は、同一の長さのものであっても良く互いに異なる長さのものであっても良く、オプションとして、同一の断面のものであって良く、例えば、同一の直径のものであって良く又は互いに異なる直径のものであって良い。
【０１２４】
歯は、図５１に示すように、全体としてこれらの自由端部に向かってテーパした形状を有しても良い。
歯は又、これらの長さの少なくとも一部分にわたり、図５２に示すように例えば一定であり、丸い端を備えた断面を有しても良い。
図示していない変形例では、各歯は、その自由端部のところに１つ又は２つ以上の膨らみ、又は実際には球を有しても良い。
一例を挙げると、歯は、高温状態にある間、変形可能である。
【０１２５】
歯を枝状部に垂直に連結しても良く、或いは、歯は、図５３に示すように枝状部と角度γをなしても良い。
歯の少なくとも一部分は、図５４に示すように曲線状の長手方向軸線を備えた状態で湾曲していても良く、歯は、オプションとして、この場合枝状部に垂直に連結される。
枝状部が、図５５に示すように互いに逆の方向に交互に延びる一連の歯を有しても良く、歯のベースは、例えば、枝状部上で互いに一線をなす。
【０１２６】
一般的に言えば、任意の１つの列内で、歯は、米国特許出願公開第２００２／００２０４２号明細書、同第２００１／００４７８０８号明細書及び同第２００１／００３７８５号明細書並びに米国特許第６，５８１，６１０号明細書、同第６，５４６，９３７号明細書、同第６，５３９，９５０号明細書、同第６，４４６，６３７号明細書及び同第６，４１２，４９６号明細書に開示されたやり方のうちの任意のやり方で配置可能である。
器具１を使用するため、ユーザは、アプリケータ３を容器２から引き抜く。
【０１２７】
透かし形キャビティ３０は、オプションとして、配合物Ｐのレオロジー、ワイパー部材６の種類及び透かし形キャビティ３０の寸法形状に応じて配合物で完全に満たされていても良い。
透かし形キャビティ３０を配合物Ｐで完全に満たすのが有利な場合がある。というのは、それにより、睫毛に良好に配合物を載せることができると共に両方の目のメーキャップのために配合物の比較的多量のリザーブを構成することができるからである。
一例を挙げると、配合物を図７に示すように塗布するのが良い。
【０１２８】
ワイパー部材６は、任意の形式のものであって良く、例えば、その底端部のところに、ステム８の直径に実質的に等しい直径の円形オリフィスを構成する可撓性リップを有するのが良い。変形例では、ワイパーオリフィスは、これとは異なる直径及び（又は）円形ではない形状を有しても良い。
【０１２９】
ワイパー部材６は、プラスチック材料、例えばポリエチレン（ＰＥ）、ポリプロピレン（ＰＰ）、ポリオキシメチレン（ＰＯＭ）、ポリエチレンテレフタレート（ＰＥＴ）、ニトリルゴム、シリコーンゴム、エチレン−プロピレンターポリマーゴム（ＥＰＤＭ）、スチレン−イソプレン−スチレン（ＳＩＳ）又はスチレン−エチレン−ブチレン−スチレン（ＳＥＢＳ）で作られても良く、例えば商品名HYTREL（登録商標）で知られている熱可塑性ポリエステルエラストマーで作られても良く、或いは、例えば商品名SANTOPRENE（登録商標）で知られている熱可塑性エラストマーで作られても良く、この一覧表は、本発明を限定するものではない。
ワイパー部材６は又、ネックに装着される必要はなく、成形又は複合成形によりネックに設けられても良い。
【０１３０】
用いられる塗布部材とは無関係に、関連のワイパー部材６は、２つの部分４ａ，４ｂから成るのが良い本体を有する容器内に収納可能であり、これら部分４ａ，４ｂは、ワイパー部材６の開口部９０の直径が図５６に示すように変化するような仕方で互いに対し変位するのに適している。
【０１３１】
図５６の実施形態では、ワイパー部材は、容器のネックの延長部９５によって変形されるが、本発明は、ワイパー部材の特定の構成には限定されず、その変形性にも限定されず、更に、塗布部材が通過するその断面を変化させる特定の仕方にも限定されない。
【０１３２】
図５７は、塗布部材がワイパー部材６を通過する際に広げることができる波形のワイパーリップを有するワイパー部材６の可能性を示している。一例を挙げると、波形部９７は、円周方向に交互に空っぽであったり膨らんでいたりする。
【０１３３】
ワイパー部材は、開口部及び少なくとも１つのスリットを更に有しても良く、この少なくとも１つのスリットは、開口部にかするような仕方で連結され、開口部の軸線回りに丸一回転に至らない状態で延びている。
ワイパー部材は、互いに異なっていても良く、フォームのブロックの形態をしていても良い。
【０１３４】
図５８は、変形例としての包装型アプリケータ器具を示している。
器具１００は、第１の部分１１０及び第２の部分１２０から成る容器を有し、この第２の部分１２０は、考察中の実施形態では、欧州特許出願公開第１，５８４，２６０号明細書に記載されているように、器具１００の長手方向軸線と一致した回転軸線Ｘ回りに第１の部分に対して回転するのに適している。なお、この欧州特許出願公開を参照により引用し、その記載内容を本明細書の一部とする。
【０１３５】
第２の部分１２０は、クロージャキャップ９を螺着できる雄ねじ付きネック１２２を有する外側部分１７５を有している。
ネック１２２の底部は、肩１２５に連結されている。ワイパー部材６は、ネックの頂縁部上に載っていて、肩１２５の下に当接する環状リップ１３０を有している。
ワイパー部材６は、内方に延び、図示の実施形態では、器具の閉鎖位置において、アプリケータ３のステム８に当接するワイパーリップ１３１を有している。
外側部分１７５は、肩１２５の下に下方に延びると共にクロージャキャップ９と位置合わせ状態にある全体として円筒形の部分１３２を有している。
【０１３６】
円筒形部分１３２は、内側部分１７６を例えば円筒形部分１３２内での圧着により外側部分１７５内に静止状態に保持しやすくするような仕方で内部が溝付けされているのが良い。
内側部分１７６は、考察中の実施例ではブレード１２３を支持している。
【０１３７】
種々の実施形態の特徴を図示していない実施形態において互いに組み合わせることができる。
【０１３８】
図５８のアプリケータ器具を本発明に従って構成された任意の塗布部材、特に、図８〜図５５を参照して説明した塗布部材のどれとでも使用することができる。
【０１３９】
適当な場合、主要支持体を少なくとも１つの枝状部と同じ厚さに作るのが良く、主要支持体と少なくとも１つの枝状部との間の境界は、支持構造体の厚さの急な移行部によって具体化される必要はない。
塗布部材は、プラスチック材料を成形することによって作ることができ、或いは、他の何らかの仕方で、例えば、金属シートを切断すると共に（或いは）打抜き加工することにより製作できる。
【０１４０】
適当な場合、塗布部材は、複数種類の材料から成っていても良く、歯は、例えば第１の材料で作られ、枝状部及び（又は）主要支持体は、第２の材料で作られ、この第２の材料は、歯を形成する第１の材料よりも多少剛性が高いものであるのが良い。
適当な場合、塗布部材に成形後歯を機械的に加工する作業、例えば、適当な場合には高温又は低温状態の表面と接触した状態で研削作用を施すのが良く、歯を加工する方法の例は、仏国特許出願第２，８５２，５００号明細書及び同第２，８５０，５４９号明細書に記載されている。
【０１４１】
変形例では、配合物は、ケークの形態をしていても良く、或いは、チューブ内に入れられたものであっても良い。
【０１４２】
実施形態の全てにおいて、アプリケータは、オプションとして、少なくとも一部がフロック加工されても良い。
容器が塗布部材を引き抜きのために挿通させるワイパー部材を有する場合、塗布部材は、オプションとして、ワイパー部材を通過しながら振動を受けるのが良く、それにより、塗布部材が振動していないときに塗布部材を拭う仕方とは異なる仕方で塗布部材を拭うことが可能である。かくして、一例を挙げると、ユーザは、塗布部材がワイパー部材を通過しながら振動しているかそうでないかに応じて、少なくとも２つの拭い度を選択することができる。
【０１４３】
配合物を塗布するために用いられる器具によっても配合物を塗布することができ、かかる器具は、少なくとも１本の指、手又は手首に取り付けられる又は手持ちの取り外し可能な取り付け手段及び振動を生じさせることができる振動源を含む。
本発明の幾つかの特徴に関し、少なくとも幾つかの列の向きは、長手方向軸線Ｘに対して必ずしも斜めである必要はなく、この軸線に垂直又は平行であって良い。
かくして、支持構造体は、１つの面又は２つの互いに反対側の面上に歯を有するのが良く、支持構造体は、オプションとして、透かし形状構造体であっても良い。
【０１４４】
支持構造体は、比較的高い密度で歯を有すると共にこれ又比較的高い密度で透かし形キャビティを有するのが良く、これら密度は、具体的に言えば、上述した値を有する。
一例を挙げると、支持構造体は、少なくとも一方向に歯と透かし形キャビティを交互に有し、この交互配置は、５つ又は６つ以上の列を有すると共に例えば列相互間に位置する４つ又は５つ以上の透かし形キャビティから成る。
【０１４５】
具体的に図１９〜図４１に示す実施形態では、歯を支持すると共に互いに横切っている枝状部を例えば図６又は図２２の場合のように互いに異なる高さに配置しても良く、或いは、図２１の場合のように同じ高さに配置しても良い。
別の変形例では、支持構造体は、歯を備えておらず、例えば近くに位置する歯の列に属する歯の端部により定められる曲線を辿ることができる曲線を有する枝状部を有しても良い。かかる枝状部は、近くに位置する少なくとも１つの歯列に属する歯のベースを或る程度隠すことができる。
【０１４６】
図示していない変形例では、歯は、金属シートを切断することにより作られたものであっても良い。歯を切断し、次に金属シートの平面に対して実質的に直角に折り曲げるのが良い。
【０１４７】
原文明細書における“comprising a”という表現は、別段の指定がなければ、“comprising at least one”と同義であると解されるべきである。
【図面の簡単な説明】
【０１４８】
【図１】本発明に従って構成された包装型アプリケータ器具の一例の概略部分縦断面図である。
【図２】単独で示された図１の器具の塗布部材の平面図である。
【図３】塗布部材の斜視図である。
【図４】塗布部材の側面図である。
【図５】塗布部材の別の斜視図である。
【図５ａ】塗布部材の長手方向軸線に沿う端面図である。
【図６】図２〜図５ａの塗布部材の実施形態の細部を示す図である。
【図６ａ】変形実施形態の斜視図である。
【図６ｂ】図６ａの塗布部材の平面図である。
【図７】睫毛をメーキャップするための図１〜図６の塗布部材の使用法を示す図である。
【図８】とりわけ主要支持体に関する１つの形状を示す図である。
【図９】とりわけ主要支持体に関する別の形状を示す図である。
【図１０】とりわけ主要支持体に関する別の形状を示す図である。
【図１１】とりわけ主要支持体に関する別の形状を示す図である。
【図１２】エンベロープ表面に関する１つの形状の断面図である。
【図１３】エンベロープ表面に関する別の形状の断面図である。
【図１４】エンベロープ表面に関する別の形状の断面図である。
【図１５】エンベロープ表面に関する別の形状の断面図である。
【図１６】エンベロープ表面に関する別の形状の断面図である。
【図１７】エンベロープ表面に関する別の形状の断面図である。
【図１８】１列の中で様々な高さの歯を有する可能性を示す略図である。
【図１９】本発明の変形実施形態としての塗布部材の平面図である。
【図２０】支持構造体に関する１つの形態を示す図である。
【図２１】支持構造体に関する別の形態を示す図である。
【図２２】支持構造体に関する別の形態を示す図である。
【図２３】支持構造体に関する別の形態を示す図である。
【図２４】支持構造体に関する別の形態を示す図である。
【図２５】支持構造体に関する別の形態を示す図である。
【図２６】支持構造体に関する別の形態を示す図である。
【図２７】支持構造体に関する別の形態を示す図である。
【図２８】支持構造体に関する別の形態を示す図である。
【図２９】支持構造体に関する別の形態を示す図である。
【図３０】支持構造体に関する別の形態を示す図である。
【図３１】支持構造体に関する別の形態を示す図である。
【図３２】支持構造体に関する別の形態を示す図である。
【図３３】支持構造体に関する別の形態を示す図である。
【図３４】支持構造体に関する別の形態を示す図である。
【図３５】支持構造体に関する別の形態を示す図である。
【図３６】支持構造体に関する別の形態を示す図である。
【図３７】支持構造体に関する別の形態を示す図である。
【図３８】支持構造体に関する別の形態を示す図である。
【図３９】支持構造体に関する別の形態を示す図である。
【図４０】支持構造体に関する別の形態を示す図である。
【図４１】支持構造体に関する別の形態を示す図である。
【図４２】歯を支持構造体に対してどのように位置決めすることができるかの例を示す図である。
【図４３】歯を支持構造体に対してどのように位置決めすることができるかの例を示す図である。
【図４４】枝状部のための形状の一例の側面図である。
【図４５】変形実施形態の概略部分斜視図である。
【図４６】塗布部材の変形実施形態を示す平面図である。
【図４７】塗布部材の変形実施形態を示す平面図である。
【図４８】塗布部材の長手方向軸線がステムの長手方向軸線とどのように角度をなすのが良いかを示す図である。
【図４９】変形実施形態の側面図である。
【図５０】塗布部材の変形実施形態の平面図である。
【図５１】歯に関する例に関する形状の例を示す図である。
【図５２】歯に関する例に関する形状の例を示す図である。
【図５３】歯に関する例に関する形状の例を示す図である。
【図５４】歯に関する例に関する形状の例を示す図である。
【図５５】歯に関する例に関する形状の例を示す図である。
【図５６】変形例としてのワイパー部材を有する器具の一例を示す図である。
【図５７】ワイパー部材の一例を示す軸方向断面図である。
【図５８】本発明の変形実施形態を示す図である。
【符号の説明】
【０１４９】
１  包装型アプリケータ器具
２  容器
３  アプリケータ
４  本体
５  ネック
６  ワイパー部材
８  ステム（軸）
９  取っ手
１０  塗布部材
１０ａ，１０ｂ  主要面
１１  主要支持体
１１ａ，１１ｂ  横方向側部
１２  遠位部分
１６  近位部分
１７  端部品（エンドピース）
１７ａ  フィレット
２０，２１，２２  枝状部
３０  透かし形キャビティ
Ｐ  配合物
【図１】
2008142558.tif 000003
【図２】
2008142558.tif 000004
【図３】
2008142558.tif 000005
【図４】
2008142558.tif 000006
【図５】
2008142558.tif 000007
【図５ａ】
2008142558.tif 000008
【図６】
2008142558.tif 000009
【図６ａ】
2008142558.tif 000010
【図６ｂ】
2008142558.tif 000011
【図７】
2008142558.tif 000012
【図８】
2008142558.tif 000013
【図９】
2008142558.tif 000014
【図１０】
2008142558.tif 000015
【図１１】
2008142558.tif 000016
【図１２】
2008142558.tif 000017
【図１３】
2008142558.tif 000018
【図１４】
2008142558.tif 000019
【図１５】
2008142558.tif 000020
【図１６】
2008142558.tif 000021
【図１７】
2008142558.tif 000022
【図１８】
2008142558.tif 000023
【図１９】
2008142558.tif 000024
【図２０】
2008142558.tif 000025
【図２１】
2008142558.tif 000026
【図２２】
2008142558.tif 000027
【図２３】
2008142558.tif 000028
【図２４】
2008142558.tif 000029
【図２５】
2008142558.tif 000030
【図２６】
2008142558.tif 000031
【図２７】
2008142558.tif 000032
【図２８】
2008142558.tif 000033
【図２９】
2008142558.tif 000034
【図３０】
2008142558.tif 000035
【図３１】
2008142558.tif 000036
【図３２】
2008142558.tif 000037
【図３３】
2008142558.tif 000038
【図３４】
2008142558.tif 000039
【図３５】
2008142558.tif 000040
【図３６】
2008142558.tif 000041
【図３７】
2008142558.tif 000042
【図３８】
2008142558.tif 000043
【図３９】
2008142558.tif 000044
【図４０】
2008142558.tif 000045
【図４１】
2008142558.tif 000046
【図４２】
2008142558.tif 000047
【図４３】
2008142558.tif 000048
【図４４】
2008142558.tif 000049
【図４５】
2008142558.tif 000050
【図４６】
2008142558.tif 000051
【図４７】
2008142558.tif 000052
【図４８】
2008142558.tif 000053
【図４９】
2008142558.tif 000054
【図５０】
2008142558.tif 000055
【図５１】
2008142558.tif 000056
【図５２】
2008142558.tif 000057
【図５３】
2008142558.tif 000058
【図５４】
2008142558.tif 000059
【図５５】
2008142558.tif 000060
【図５６】
2008142558.tif 000061
【図５７】
2008142558.tif 000062
【図５８】
2008142558.tif 000063
【外国語明細書】
2008142558.tif 000064
2008142558.tif 000065
2008142558.tif 000066
2008142558.tif 000067
2008142558.tif 000068
2008142558.tif 000069
2008142558.tif 000070
2008142558.tif 000071
2008142558.tif 000072
2008142558.tif 000073
2008142558.tif 000074
2008142558.tif 000075
2008142558.tif 000076
2008142558.tif 000077
2008142558.tif 000078
2008142558.tif 000079
2008142558.tif 000080
2008142558.tif 000081
2008142558.tif 000082
2008142558.tif 000083
2008142558.tif 000084
2008142558.tif 000085
2008142558.tif 000086
2008142558.tif 000087
2008142558.tif 000088
2008142558.tif 000089
2008142558.tif 000090
2008142558.tif 000091
2008142558.tif 000092
2008142558.tif 000093
2008142558.tif 000094
2008142558.tif 000095
2008142558.tif 000096
2008142558.tif 000097
2008142558.tif 000098
2008142558.tif 000099
2008142558.tif 000100
2008142558.tif 000101
2008142558.tif 000102
2008142558.tif 000103
2008142558.tif 000104
2008142558.tif 000105
2008142558.tif 000106
2008142558.tif 000107
2008142558.tif 000108
2008142558.tif 000109
2008142558.tif 000110
2008142558.tif 000111
2008142558.tif 000112
2008142558.tif 000113
2008142558.tif 000114
2008142558.tif 000115
2008142558.tif 000116